(57)【要約】      （修正有）【課題】直接見ても眩しさを感じない間接光を出射する照明器具を提供する。【解決手段】照明器具は、器具本体１１と開口部１３を塞ぐ透明ガラス１２とで構成される。器具本体１１は、壁に向けて斜め方向に照射するＬＥＤ１６と、ＬＥＤ１６の上方まで延設され、ＬＥＤ１６が放出した光を反射する反射板１８と、ＬＥＤ１６が放出した光の反射光が外部に漏れにくくするために傾倒した状態で取り付けられる傾斜板１９と、を備える。器具本体１１の内部は黒色塗装が施される。透明ガラス１２のＬＥＤ１６と対向する内面には、ＬＥＤ１６の光照射方向以外からＬＥＤ１６が見えないように黒色のマスキング塗装２０ａが施される。【選択図】図４
2020181664.tif 000002
【特許請求の範囲】
【請求項１】
壁の近傍に設置される照明器具において、
開口部が形成される器具本体と、
前記器具本体の開口部を塞ぐ透明板と、
前記器具本体に収容され、前記照明器具が壁の近傍に設置されているときに、前記開口部を通して壁に向けて照射する照射機構と、
前記照射機構の光照射方向以外から前記照射機構の光出射部分が前記透明板を通して見えないように遮蔽する遮蔽部と、
を備えることを特徴とする照明器具。
【請求項２】
前記器具本体の内部を、反射を防止する色とすることを特徴とする請求項１に記載の照明器具。
【請求項３】
前記器具本体は、直角柱形状であり、
前記照射機構は、前記器具本体の長手方向に沿って設けられ、
前記器具本体の長手方向が壁に沿うように設置されることを特徴とする請求項１に記載の照明器具。
【請求項４】
前記照射機構は、前記照明器具が壁の近傍に設置されているときに壁と対向する前記器具本体の側面と対向する側面側に寄せて配設されることを特徴とする請求項３に記載の照明器具。
【請求項５】
前記照明器具が壁の近傍に設置されているときに壁と対向する前記器具本体の側面の内側に、反射を防止する色の傾斜板を傾倒した状態で取り付けることを特徴とする請求項４に記載の照明器具。
【請求項６】
前記遮蔽部は、前記透明板の、前記照射機構の配設位置と対向する位置に反射を防止する塗装を施すことで形成されることを特徴とする請求項１に記載の照明器具。
【請求項７】
前記照射機構は、
光源と、
前記光源から入射された光が前記開口部側に向けて照射されるよう配光制御されている導光板と、
前記光源からの光が前記導光板の入射面以外に放出されないように遮光する遮光ケースと、
前記導光板の光入射面及び前記光出射面以外の面に当接した状態で設けられる反射板と、
を有することを特徴とする請求項１に記載の照明器具。
【請求項８】
前記照射機構は、光源であることを特徴とする請求項１に記載の照明器具。
【請求項９】
前記遮蔽部は、前記光源と前記開口部との間に配設され、前記光源から前記開口部の方向に放出される光のうち光照射方向以外の光を遮蔽する遮蔽板により形成されることを特徴とする請求項８に記載の照明器具。
【請求項１０】
請求項３に記載の照明器具を収容する直角柱形状の収容箱と、
前記収容箱の端面に設けられる連結部であって、前記収容箱が壁に沿って並べて設置されるときに、隣接する他の照明器具用埋込箱の前記連結部と連結される連結部と、
を備えることを特徴とする照明器具用埋込箱。
【請求項１１】
前記連結部は、前記収容箱の両端面に設けられ、
複数の前記照明器具を並べて連接する際に、両端面に設けられた前記連結部をそれぞれ、隣接する他の照明器具用埋込箱に設けられている前記連結部と連結することで、前記照明器具を一直線上に並べて配設させることを特徴とする請求項１０に記載の照明器具用埋込箱。
【請求項１２】
前記連結部は、
隣接する他の照明器具用埋込箱側に突出した凸部と、
前記凸部を挟む位置に設けられ、前記収容箱に固定される一対の脚部と、
を有し、
前記一対の脚部によって隣接する他の照明器具用埋込箱の前記凸部を挟み、前記凸部を隣接する他の照明器具用埋込箱の前記凸部と当接させるようにして、隣接する他の照明器具用埋込箱の前記連結部と連結されることを特徴とする請求項１０に記載の照明器具用埋込箱。
【請求項１３】
隣接する他の照明器具用埋込箱に対向する上面端部の凹みと、前記他の照明器具用埋込箱の上面端部の凹みに跨がって載置される載置板を備えることを特徴とする請求項１０に記載の照明器具用埋込箱。
【発明の詳細な説明】
【技術分野】
【０００１】
本発明は、照明器具及び照明器具用埋込箱、特に間接光を実現する照明器具及びその照明器具を並べて設置するのに使用する埋込箱に関する。
【背景技術】
【０００２】
従来から光による演出として間接光を利用する場合がある。間接光は、優しい印象や柔らかい印象を空間に与えたいときに適している。例えば、建物の壁に光を当てたい場合、照明器具を地中に埋め込んで光を壁に向けて照射する。
【発明の概要】
【発明が解決しようとする課題】
【０００３】
従来の照明器具では、照明器具の内部構造が外から見えないようにするなどを理由に、透過率が相対的に低い乳白色を光出射面に採用するのが一般的である。照明器具の光出射面を乳白色とすると、光出射面全体が光ることになるため、照明器具を直接見ると眩しさを感じる場合があった。
【０００４】
また、照明器具を設置する際、複数の照明器具を並べて設置する作業を作業者の手腕に任せていると、照明器具が必ずしも整然と並べて設置されるとは限らない。
【０００５】
本開示の一態様である照明器具は、間接光を提供する照明器具において直接見ても眩しさを感じさせにくくする照明器具を提供することを目的の一つとする。
【０００６】
また、本開示の一態様である照明器具用埋込箱は、照明器具を整然と並べて設置することを容易にする埋込箱を提供することを目的の一つとする。
【課題を解決するための手段】
【０００７】
本開示の一態様である照明器具は、壁の近傍に設置される照明器具において、開口部が形成される器具本体と、前記器具本体の開口部を塞ぐ透明板と、前記器具本体に収容され、前記照明器具が壁の近傍に設置されているときに、前記開口部を通して壁に向けて照射する照射機構と、前記照射機構の光照射方向以外から前記照射機構の光出射部分が前記透明板を通して見えないように遮蔽する遮蔽部と、を備えることを特徴とする。
【０００８】
また、前記器具本体の内部を、反射を防止する色とすることを特徴とする。
【０００９】
また、前記器具本体は、直角柱形状であり、前記照射機構は、前記器具本体の長手方向に沿って設けられ、前記器具本体の長手方向が壁に沿うように設置されることを特徴とする。
【００１０】
また、前記照射機構は、前記照明器具が壁の近傍に設置されているときに壁と対向する前記器具本体の側面と対向する側面側に寄せて配設されることを特徴とする。
【００１１】
また、前記照明器具が壁の近傍に設置されているときに壁と対向する前記器具本体の側面の内側に、反射を防止する色の傾斜板を傾倒した状態で取り付けることを特徴とする。
【００１２】
また、前記遮蔽部は、前記透明板の、前記照射機構の配設位置と対向する位置に反射を防止する塗装を施すことで形成されることを特徴とする。
【００１３】
また、前記照射機構は、光源と、前記光源から入射された光が前記開口部側に向けて照射されるよう配光制御されている導光板と、前記光源からの光が前記導光板の入射面以外に放出されないように遮光する遮光ケースと、前記導光板の光入射面及び前記光出射面以外の面に当接した状態で設けられる反射板と、を有することを特徴とする。
【００１４】
また、前記照射機構は、光源であることを特徴とする。
【００１５】
また、前記遮蔽部は、前記光源と前記開口部との間に配設され、前記光源から前記開口部の方向に放出される光のうち光照射方向以外の光を遮蔽する遮蔽板により形成されることを特徴とする。
【００１６】
本開示の一態様である照明器具用埋込箱は、上記に記載の照明器具を収容する直角柱形状の収容箱と、前記収容箱の端面に設けられる連結部であって、前記収容箱が壁に沿って並べて設置されるときに、隣接する他の照明器具用埋込箱の前記連結部と連結される連結部と、を備えることを特徴とする。
【００１７】
また、前記連結部は、前記収容箱の両端面に設けられ、複数の前記照明器具を並べて連接する際に、両端面に設けられた前記連結部をそれぞれ、隣接する他の照明器具用埋込箱に設けられている前記連結部と連結することで、前記照明器具を一直線上に並べて配設させることを特徴とする。
【００１８】
また、前記連結部は、隣接する他の照明器具用埋込箱側に突出した凸部と、前記凸部を挟む位置に設けられ、前記収容箱に固定される一対の脚部と、を有し、前記一対の脚部によって隣接する他の照明器具用埋込箱の前記凸部を挟み、前記凸部を隣接する他の照明器具用埋込箱の前記凸部と当接させるようにして、隣接する他の照明器具用埋込箱の前記連結部と連結されることを特徴とする。
【００１９】
また、隣接する他の照明器具用埋込箱に対向する上面端部の凹みと、前記他の照明器具用埋込箱の上面端部の凹みに跨がって載置される載置板を備えることを特徴とする。
【発明の効果】
【００２０】
本開示の一態様である照明器具によれば、直接見ても眩しさを感じさせにくくする照明器具を提供することができる。
【００２１】
また、本開示の一態様である照明器具用埋込箱によれば、照明器具を整然と並べて設置することを容易にできる。
【図面の簡単な説明】
【００２２】
【図１】実施の形態１における照明器具を利用したシーンを示す図である。
【図２】実施の形態１における照明器具の概略的な斜視図である。
【図３】実施の形態１における照明器具の器具本体の平面図である。
【図４】図３に示す器具本体の側断面図である。
【図５】実施の形態１における照明器具の埋込ボックスの概略的な斜視図である。
【図６】実施の形態１における載置板の斜視図である。
【図７】実施の形態１における埋込ボックスの連結部部分を示す平面図である。
【図８】実施の形態１における埋込ボックスの連結部部分を示す側面図である。
【図９】実施の形態１において埋込ボックスを連結した状態を示す平面図である。
【図１０】実施の形態１において埋込ボックスを連結した状態を示す側面図である。
【図１１】実施の形態１において照明器具を埋込ボックスに収容した後の状態を示す概略的な斜視図である。
【図１２】実施の形態２における照明器具の器具本体の平面図である。
【図１３】図１２に示す器具本体の側断面図である。
【発明を実施するための形態】
【００２３】
以下、図面に基づいて、本開示に係る照明器具及び照明器具用埋込箱の好適な実施の形態について説明する。但し、本開示は以下で説明する実施形態に限定されない。
【００２４】
実施の形態１．
図１は、本実施の形態における照明器具を利用したシーンを示す図である。本実施の形態における照明器具１は、地中２に埋設され、屋外において建物の壁３に向けて光を照射することで間接光を実現するのに適した照明器具である。図１に示すように、照明器具１は、埋込ボックス４に収容して地中２に埋め込まれるが、詳細は後述するように、本実施の形態において特徴的な埋込ボックス４を利用することで、複数の照明器具１を壁３に沿って一直線上に並べて設置することが容易にできるようになる。
【００２５】
図２は、本実施の形態における照明器具１の概略的な斜視図である。図３は、本実施の形態における照明器具１の器具本体１１の平面図であるが、反射板１８を破線で図示することによって器具本体１１の内部をわかりやすくしている。図４は、図３に示すＡ−Ａ´線で切断したときの器具本体１１の側断面図であるが、図３と異なり、説明の便宜上、埋込ボックス４に収容した状態で示すと共に、透明ガラス１２を装着した状態で図示している。以下、これらの図を用いて本実施の形態における照明器具１の構造について説明する。
【００２６】
照明器具１は、直角柱形状の器具本体１１と、透明ガラス１２とで構成される。照明器具１は、図１に示すように長辺（長手方向）が壁３に沿うように設置される。本実施の形態における照明器具１は、例えば長手方向を７０〜８０ｃｍ、短手方向及び深さ方向を１０ｃｍ程度で形成することを想定しているが、大きさはこれに限定する必要はない。
【００２７】
器具本体１１の上面には、開口部１３が形成されている。透明ガラス１２は、開口部１３とほぼ同じ大きさで同じ形状の透明板であり、器具本体１１の開口部１３の全周に設けられている載置台１４に載置されることで開口部１３を塞ぐ。透明ガラス１２と載置台１４の壁との間にできる隙間１５には、コーキング剤（図示せず）が充填されることで、器具本体１１は密封される。
【００２８】
器具本体１１には、照射機構が収容される。本実施の形態における照射機構は、光源としてＬＥＤ（Ｌｉｇｈｔ  Ｅｍｉｔｔｉｎｇ  Ｄｉｏｄｅ）１６を備える。ＬＥＤ１６は、ケーブルグランド１７を介して図示しない電源装置と電気的に接続され、電源が投入されることで発光する。図３に示すように、器具本体１１の長手方向に沿って複数のＬＥＤ１６が並べて設置される。これにより、ラインという長方形型の照明器具１を提供でき、間接光を連続光として提供できる。
【００２９】
また、図４に示すように、ＬＥＤ１６は、器具本体１１の長手方向に沿った中央線より壁面から遠い器具本体１１の側面に寄せて設置される。そして、ＬＥＤ１６は、その設置位置で壁３の方に向けて照射するように斜めに取り付けられる。ＬＥＤ１６を器具本体１１の中央より壁３と反対側に寄せて設置し、そして詳細は後述するように反射板１８及びマスキング塗装２０ａを施すことで、通行人が照明器具１の中を覗いたとしてもＬＥＤ１６を視認できないようにしている。換言すると、通行人が光照射方向以外から照明器具１を見てもＬＥＤ１６の光が直接眼に入らないため眩しさを感じにくい。そして、ＬＥＤ１６を器具本体１１の中央より壁３と反対側に寄せた位置から斜め方向に照射させることで壁に向けて直接照射することができる。なお、本実施の形態では、照明器具１の設置の向きやＬＥＤ１６の照射の向きの説明の便宜を図るために、照明器具１が図１に示すように壁３の近傍に埋設されているものとして説明する。
【００３０】
ＬＥＤ１６は、通常、光を広角に放出するが、照射機構（本実施の形態においては「ＬＥＤ１６」）の光照射方向というのは、照射機構の設置位置から壁３の方向を意味する。器具本体１１の内部は、ＬＥＤ１６から放出された光の器具本体１１の内部での反射が発生しにくいように反射を防止する濃色、例えば黒色の塗装で塗布される。
【００３１】
ＬＥＤ１６と開口部１３との間には、ＬＥＤ１６から放出された光を、透明ガラス１２を通して壁面側に導く反射板１８が配設される。そのために、反射板１８のＬＥＤ１６に対向する面には、反射率が相対的に高い色、例えば白色の塗装が塗布されている。また、反射板１８は、図４に示すようにＬＥＤ１６の上方まで覆うように傾斜を持たせて延設される。ＬＥＤ１６からの光は、光照射方向以外にも放出されることになるが、ＬＥＤ１６の上方まで覆うように反射板１８を設けるのは、開口部１３の方向に放出される光のうち光照射方向以外の光を遮蔽する遮蔽板として機能させるためである。更に、ＬＥＤ１６の光照射方向以外からＬＥＤ１６が透明ガラス１２を通して見えないように遮蔽する遮蔽部として機能させるためでもある。一方、反射板１８の透明ガラス１２と対向する面は、透明ガラス１２から照明器具１の内部が覗かれた場合に内部の構造が視認しにくい色、例えば黒色の塗装が塗布される。
【００３２】
また、本実施の形態では、照明器具１が壁の３近傍に設置されているときに壁３と対向する器具本体１１の側面の内側に、傾斜板１９を設けている。ＬＥＤ１６と対向する側面に傾斜板１９を傾倒した状態で取り付けることで、ＬＥＤ１６から傾斜板１９への入射光は、開口部１３の方向に反射しにくくなる。当然ながら傾斜板１９にも反射を防止する濃色、例えば、黒色の塗装が塗布されている。
【００３３】
透明ガラス１２は、ＬＥＤ１６からの出力された光を壁３に直接照射できるように透過率の高い高透過性の透明板である。透過率としては、９０％以上とするのが好適である。なお、本実施の形態では、高透過性の基準値（閾値）を９０％としているが、これに限定する必要はない。また、透明ガラス１２は、通行人が踏んでも壊れないように耐荷重性のある強化ガラスで形成するのが好ましい。このため、本実施の形態では、透明ガラス１２の厚さを１０ｍｍ程度とする。透明ガラス１２の下面（器具本体１１側を向く内面）の全周に沿って、マスキング塗装２０ａ，２０ｂ，２０ｃ（なお、相互に区別する必要はない場合は「マスキング塗装２０」と総称する）が施されている。マスキング塗装２０は、反射を防止するためにも黒色とする。このマスキング塗装２０により、透明ガラス１２を通して照明器具１の内部の見える範囲を制限している。
【００３４】
具体的には、透明ガラス１２の壁と反対側には、反射板１８及びＬＥＤ１６が上方（真上）から視認できない位置までマスキング塗装２０ａを施す。これにより、反射板１８及びＬＥＤ１６は、マスキング塗装２０ａによって上方から視認できない。同様に、透明ガラス１２の壁側には、傾斜板１９の上方（真上）から視認できない位置までマスキング塗装２０ｂを施す。そして、ＬＥＤ１６が横方向（照明器具１の短手方向）から視認できない位置までマスキング塗装２０ｃを施す。このように、マスキング塗装２０は、遮蔽部としての機能を有する。
【００３５】
なお、以上の説明から明らかなように、各マスキング塗装２０ａ，２０ｂ，２０ｃを施す幅は、均一とする必要はなく、照射機構等の取付位置によって適切な幅でマスキング塗装２０を施せばよい。また、本実施の形態では、透明ガラス１２に入射した光が屈折してフロスト状の側面から出射されないように、透明ガラス１２の側面にも黒色のマスキング塗装２０を施している。
【００３６】
以上説明したように、本実施の形態においては、ＬＥＤ１６から放出された光が光照射方向以外に放出されにくい構造としている。そして、照明器具１の内部構造、特に光源となるＬＥＤ１６が光照射方向以外からは見えにくい構造としている。これにより、照明器具１を見ても眩しさを感じさせにくくすることができる。
【００３７】
なお、ＬＥＤ１６や反射板１８及び傾斜板１９は、ねじ若しくは溶接剤や接着剤等の部材を用いて器具本体１１に取り付けるが、これらの取付部材については、図から省略している。後述する埋込ボックス４においても同様である。
【００３８】
以上の構造を有する本実施の形態における照明器具１を用いることで壁３に向けて光を直接照射することができ、間接光を演出することができる。特に、本実施の形態においては、壁３の方向にのみ照射し、壁３の方向以外には照射されないよう配光制御することができるので、間接光を効果的に演出でき、かつ通行人が照明器具１を見ても眩しさを感じさせないようにすることが可能となる。
【００３９】
透過率が相対的に低い、例えば乳白色の板を照明器具の表面（本実施の形態における照明器具１の透明ガラス１２の設置位置）に施して間接光を演出する場合がある。光の出射面を乳白色とすると、面発光により眩しさを感じやすくなると共に壁３だけを効率的に照射することができない。これに対し、本実施の形態においては、ＬＥＤ１６から出力される光を透過率の高い透明ガラス１２を通して、壁３に向けて直接照射することができるので、照明器具１の表面全体が眩しくならない。これにより、グレアレスな照明器具を提供することができる。また、光を壁３に照射する面に透明ガラス１２を用いることでＬＥＤ１６の照度を抑えることができるので、更なる省エネ効果も期待できる。なお、「グレアレス」というのは、光源やその反射光が直接目に入りづらいため、照明器具を見ても眩しさを感じないことを意味する。
【００４０】
ところで、照明器具１の表面に透明ガラス１２を用いると、透明ガラス１２を通して照明器具１の内部が視認できてしまう。本実施の形態では、照明器具１の内部を視認しにくくするために、前述したように透明ガラス１２の周囲に黒色のマスキング塗装２０を施すし、また照明器具１の中を黒色で塗装している。
【００４１】
図５は、本実施の形態における照明器具１の埋込ボックス４の概略的な斜視図である。図６は、本実施の形態における埋込ボックス４に付属する載置板４４を示す斜視図である。図７は、本実施の形態における埋込ボックス４の連結部を示す図である。以下、これらの図を用いて本実施の形態における照明器具１を収容する埋込ボックス４の構造について説明する。
【００４２】
本実施の形態における埋込ボックス４は、図５に示す収容箱４１と図８に示す載置板４４とで構成され、照明器具１を地中２に埋め込み設置する際に使用される。埋込ボックス４の収容箱４１は、照明器具１と同じ直角柱形状で形成され、照明器具１が丁度収まる程度の大きさである。収容箱４１は、長手方向に面対称に形成される。埋込ボックス４の上面は、照明器具１を収容するために開口されている。収容箱４１の両端面には、連結部４２及び配線用の穴４３が設けられている。
【００４３】
連結部４２は、図１に示したように照明器具１が壁３に沿って並べて設置されるときに、隣接する他の埋込ボックス４の連結部４２と連結される。図５，７，８から明らかなように、連結部４２は、反対側の端面とは逆方向、換言すると向きを反対にして収容箱４１に取り付けられる。連結部４２は、凸部４２ａと一対の脚部４２ｂ，４２ｃが一体にして形成される。凸部４２ａは、隣接する他の埋込ボックス４側に突出するよう形成される。一対の脚部４２ｂ，４２ｃは、凸部４２ａを挟む位置に設けられ、連結部４２を収容箱４１に固定する。連結部４２は、凸部４２ａの、脚部４２ｂ，４２ｃの延出している側の端部が収容箱４１の端面の中心線Ｂに沿うように取り付けられる。なお、連結する埋込ボックス４が存在しない側の収容箱４１の端面には、必ずしも連結部４２を設ける必要はない。
【００４４】
収容箱４１の両端面の上端には、載置板４４を載置するための折り返し４５が形成される。また、収容箱４１の両側面の上端には、照明器具１の器具本体１１の載置台１４を載置するための折り返し４６が形成される。折り返し４５は、折り返し４６の位置より低くなる。
【００４５】
図７及び図８では、隣接する他の埋込ボックス４−１を合わせて図示している。他の埋込ボックス４−１の構成の符号には、“−１”と添字を付ける。図８に示すように、連結部４２は、中心線Ｃを含む平面を中心とした面対称の形状を有している。また、凸部４２ａの長さ（脚部４２ｂ，４２ｃの長手方向の長さ）は、脚部４２ｂ，４２ｃの長さの半分としている。後述する説明から明らかになるように、脚部４２ｂ，４２ｃには、ある程度の厚みを持たせる必要があるが、基本的には、連結部４２をある程度の厚みのある素材（板）を加工して形成すればよい。
【００４６】
本実施の形態では、連結部４２をスポット溶接により収容箱４１に固定することを想定しているが、固定方法は、特に限定しない。
【００４７】
図７に示す平面図は、２つの埋込ボックス４，４−１が連結される前の状態を示しているのに対し、図９に示す平面図は、２つの埋込ボックス４，４−１が連結された状態を示している。同様に、図８に示す側面図は、２つの埋込ボックス４，４−１が連結される前の状態を示しているのに対し、図１０に示す側面図は、２つの埋込ボックス４，４−１が連結された状態を示している。以下、これらの図を用いて、埋込ボックス４の連結方法について説明する。
【００４８】
本実施の形態では、連結部４２の脚部４２ｂ，４２ｃで連結の相手となる連結部４２−１の凸部４２ａ−１を挟むように連結する。そのためには、図７に示すように、凸部４２ａと凸部４２ａ−１が当接されるまで、埋込ボックス４を矢印Ｄ方向にスライドする。あるいは、埋込ボックス４−１を矢印Ｅ方向にスライドさせてもよい。これにより、凸部４２ａ−１は、脚部４２ｂ，４２ｃで挟まれると共に、凸部４２ａは、脚部４２ｂ−１，４２ｃ−１で挟まれることになる。このように連結部４２と連結部４２−１とを係合させることで、埋込ボックス４は、隣接する埋込ボックス４−１と連結される。
【００４９】
以上説明したように、埋込ボックス４の連結部４２は、脚部４２ｂ，４２ｃで他方の連結部４２−１の凸部４２ａ−１を挟むことになるが、脚部４２ｂ，４２ｃには、ある程度の厚みがあるので、上下方向（地中２の深さ方向）に動かそうとしても、脚部４２ｂ，４２ｃの厚み部分は凸部４２ａ−１に当接しているため動かない。同様に、連結部４２−１の脚部４２ｂ−１，４２ｃ−１の厚み部分は凸部４２ａに当接しているため動かない。つまり、連結部４２を連結部４２-１と連結したら、埋込ボックス４と埋込ボックス４−１との上下方向のずれは生じなくなる。
【００５０】
また、埋込ボックス４の凸部４２ａは、矢印Ｄ方向へのスライドにより埋込ボックス４−１の凸部４２ａ−１と当接することによって移動できない状態になる。すなわち、左右方向（矢印Ｄ，Ｅ方向）に動かない状態になり、左右方向にずれは生じない。なお、厳密には、連結部４２を引き離す方向には動かせるかもしれないが、脚部４２ｂ，４２ｃが他方の連結部４２−１の凸部４２ａ−１を挟んでいるため、矢印Ｄ，Ｅ方向から少しでもずれた方向に引き抜こうとすると、簡単には引き抜けない。すなわち、引き抜く方向においてもずれは生じにくく、結果として埋込ボックス４と埋込ボックス４−１との左右方向のずれは生じないといえる。
【００５１】
このように、本実施の形態では、連結部４２を設けて、隣接する埋込ボックス４−１と連結するようにしたので、埋込ボックス４，４−１間のずれを防止できる。更に、連結部４２，４２−１を連結することによって埋込ボックス４，４−１間の位置決めを容易にすることができるので、複数の照明器具１を並べて連接する際に、作業者の手腕に任せなくても、連結部４２を連結さえすれば、照明器具１を一直線上に並べて配設させることが容易にできる。また、照明器具１の間隔を均一にすることができる。
【００５２】
本実施の形態では、照明器具１を連接する場合、必要数の埋込ボックス４を上記のようにして連結してから各収容箱４１の中に照明器具１を収容することで設置することになる。以下、照明器具の収容方法について説明する。
【００５３】
図１０に示すように、埋込ボックス４の折り返し４５と折り返し４６との高さの差により凹み４７が形成され、同様に隣接する他の埋込ボックス４−１の折り返し４５−１と折り返し４６−１との高さの差により凹み４７−１が形成される。この対向する位置にある凹み４７と凹み４７−１によって溝４８が形成され、この溝４８に、前述した載置板４４が載置される。すなわち、載置板４４は、凹み４７と凹み４７−１に跨がって載置されるが、溝４８の中に丁度嵌まり込むように載置板４４の幅を設計する必要がある。照明器具１は、載置板４４を溝４８に載置してから収容箱４１の中に収容する。
【００５４】
図１１は、照明器具１を埋込ボックス４に収容した後の状態を示す概略的な斜視図である。なお、図１１では、照明器具１を、器具本体１１と透明ガラス１２を区別することなく一体にして簡略的に示している。図１１において、載置板４４は、前述したように隣り合う埋込ボックス４，４−１で形成された溝４８に載置されている。そして、埋込ボックス４，４−１それぞれに収容される照明器具１，１−１の上面の端部は、載置板４４の上に、載置板４４の両端に形成される折り曲げ部４４−１の間に挟まれるように載置される。これにより、照明器具１は、埋込ボックス４の中で短手方向への動きが抑止される。換言すると、埋込ボックス４の中で照明器具１が短手方向にずれないように載置板４４を折り曲げて折り曲げ部４４−１を形成する。
【００５５】
照明器具１を地中２に埋設する施工時において、照明器具１，１−１が埋込ボックス４，４−１にそれぞれ収容されると、照明器具１，１−１の間の隙間５には、コーキング剤が注入されるが、本実施の形態においては、載置板４４を設けることで、コーキング剤を埋込ボックス４，４−１の間にできる隙間６に注入する必要がなくなる。これにより、施工時間の短縮及びコストの削減を図ることができる。
【００５６】
なお、本実施の形態では、前述したように埋込ボックス４の両端面の中心線に沿って連結部４２を取り付けることで、照明器具１を一直線上に整然と並べて設置できるようにした。ただ、連結部４２の取付位置は、これに限る必要はない。例えば、収容箱４１の一端面には、中心線Ｂから壁側に所定量ずらした位置に連結部４２を取り付け、他端面には、中心線Ｂから壁側と反対方向に所定量ずらした位置に連結部４２を取り付けるようにすれば、照明器具１を上方から見て階段状に整然と並べて設置することができる。いずれにしても、本実施の形態によれば、照明器具１を整然と並べて規則正しく設置することが容易にできる。
【００５７】
実施の形態２．
図１２は、本実施の形態における照明器具１の器具本体１１の平面図であり、器具本体１１の内部を示す図である。図１２は、実施の形態１における図３に対応する図である。図１３は、図１２に示すＡ−Ａ´線で切断したときの器具本体１１の側断面図であるが、図１２と異なり、説明の便宜上、埋込ボックス４に収容した状態で示すと共に、透明ガラス１２を装着した状態で図示している。図１３は、実施の形態１における図４に対応する図である。
【００５８】
本実施の形態における照明器具１は、実施の形態１と照射機構の構成が異なり、それ以外は同じでよい。従って、実施の形態１と共通する構造については、説明を適宜省略する。以下、これらの図を用いて本実施の形態における照明器具１の構造、特に照射機構について説明する。
【００５９】
本実施の形態における照射機構は、実施の形態１と同じ光源としてのＬＥＤ１６に加えて、導光板５１、反射板５２及び遮光ケース５３を備える。導光板５１は、ＬＥＤ１６の上方に立設し、導光板５１の下面からＬＥＤ１６からの光が入射され、光出射面５１ａから壁に向けて照射する。反射板５２は、導光板５１の裏面（光出射面５１ａと対向する面）及び上面に当接した状態で設けられ、導光板５１に入射された光を反射して光出射面５１ａのみから照射させるよう作用する。遮光ケース５３は、ＬＥＤ１６からの光が導光板５１の入射面以外に放出されないよう遮光する。
【００６０】
本実施の形態における導光板５１は、入射面から入射された光が開口部１３側に向けて照射されるよう、すなわち図面上方に向けて照射されるよう配光制御されている。従って、照射機構としての作用効果は、実施の形態１における照射機構とほぼ同様である。本実施の形態におけるマスキング塗装２０ａは、導光板５１が上方から見えない位置まで施されている。これにより、照明器具１の上面が透明ガラス１２でも、照明器具１の上を通行する通行人は、導光板５１を直接見ることができないため、眩しさを感じにくい。
【００６１】
本実施の形態において使用する埋込ボックス４は、実施の形態１と同じでよく、本実施の形態における照明器具１の埋込ボックス４の収容方法、更に照明器具１の地中への埋設方法も同じでよいので、説明を省略する。
【００６２】
本実施の形態では、照射機構に関し、導光板５１を用いていない構造の実施の形態１と同様の作用効果を奏するが、厳密には、導光板５１を用いることで以下の点で実施の形態１と若干異なってくる。
【００６３】
本実施の形態では、導光板５１の光出射面５１ａの全体から光を均一に出射している。従って、相対的に高級感を感じさせる間接光を演出することが可能となる。これに対し、実施の形態１では、ＬＥＤ１６からの光を壁に直接照射している。従って、壁の表面の状態（例えば、滑らかな壁面）や材質によっては、ＬＥＤ１６が映り込む可能性が生じてくる。
【００６４】
一方、導光板５１は、光出射面５１ａに微細なレンズを配設して上方に向けて配光できる構造としているが、その上方に照射できる方向、つまり仰角には、ある程度の限界がある。これに対し、実施の形態１では、ＬＥＤ１６を傾けて設置する角度を調整することで、壁のより上方まで照射することが可能となる。なお、本実施の形態では、導光板５１を垂直に立設させているが、例えば斜めに設置することでより壁の上方まで照射できるようにすることは可能である。
【００６５】
以上説明したように、上記各実施の形態においては、壁３への間接光を演出するに際し、グレアレスな照明器具１を提供することができる。
【００６６】
なお、上記各実施の形態においては、器具本体１１の内部を、反射を防止する色で塗装するように説明したが、反射を防止する素材で構成するようにしてもよい。
【００６７】
また、上記各実施の形態においては、壁に向けて光を照射している。照射光を当てる「壁」というのは、建物の外部を囲み、また内部を仕切るものと定義されるが、照射先とするのは、必ずしも上記定義に該当する壁に限定しなくてもよい。換言すると、「壁」を広義に捉えて、照明器具１の照射先とする全ての物を「壁」に含まれると解釈してもよい。また、照明器具１を屋外に限らず屋内に設置するようにしてもよい。
【００６８】
また、本実施の形態では、照明器具１を地中に埋設する場合を例にして説明した。ただ、壁を下方からではなく上方から照射するように照明器具１を設置してもよい。すなわち、照明器具１を天井等の高所に取り付けてもよい。この場合、照明器具１は、人に踏まれることはないので、透明板には、強度が要求されることはない。従って、透明ガラス１２の代わりに軽量な透明板を用いるなど素材や埋込ボックス４の仕様等に、照明器具１を高所に取り付けるために適切な変更を加えてもよい。
【符号の説明】
【００６９】
１，１−１  照明器具、２  地中、３  壁、４，４−１  埋込ボックス、５，６，１５  隙間、１１  器具本体、１２  透明ガラス、１３  開口部、１４  載置台、１７  ケーブルグランド、１８，５２  反射板、１９  傾斜板、２０ａ，２０ｂ，２０ｃ  マスキング塗装、４１  収容箱、４２，４２−１  連結部、４２ａ，４２ａ−１  凸部、４２ｂ，４２ｃ，４２ｂ−１，４２ｃ−１  脚部、４３  穴、４４  載置板、４４−１  折り曲げ部、４７，４７−１  凹み、４８  溝、５１  導光板、５１ａ  光出射面、５３  遮光ケース。
【図１】
2020181664.tif 000003
【図２】
2020181664.tif 000004
【図３】
2020181664.tif 000005
【図４】
2020181664.tif 000006
【図５】
2020181664.tif 000007
【図６】
2020181664.tif 000008
【図７】
2020181664.tif 000009
【図８】
2020181664.tif 000010
【図９】
2020181664.tif 000011
【図１０】
2020181664.tif 000012
【図１１】
2020181664.tif 000013
【図１２】
2020181664.tif 000014
【図１３】
2020181664.tif 000015